(57)【要約】【課題】共有スペクトル間での広帯域送信のための周波数選択技術を提供する。【解決手段】種々の通信システムは、改善された高周波送信から利益が得られる。例えば、通信システムは、ユーザ装置を取り巻く環境のスペクトルの測定に基づき周波数帯域を選択することから利益が得られる。ある実施形態における方法は、ユーザ装置を取り巻く環境のスペクトルの測定をベースステーションにより行うことを含む。又、この方法は、その測定及びベースステーションの高周波能力に基づき、ユーザ装置による送信のための少なくとも１つの望ましい周波数を決定することも含む。加えて、この方法は、ユーザ装置による送信のための少なくとも１つの望ましい周波数の許可を求める要求をベースステーションからネットワークエンティティへ送信することも含む。【選択図】図１
2018078566.tif 000002
【特許請求の範囲】
【請求項１】
ユーザ装置を取り巻く環境のスペクトルの測定をベースステーションにより行い、
前記測定及び前記ベースステーションの高周波能力に基づき、ユーザ装置による送信のための少なくとも１つの望ましい周波数を決定し、及び
前記ユーザ装置による送信のための少なくとも１つの望ましい周波数の許可を求める要求を前記ベースステーションからネットワークエンティティへ送信する、
ことを含む方法。
【請求項２】
前記送信のための少なくとも１つの望ましい周波数は、３５００メガヘルツと３７５０メガヘルツとの間の規定の免許不要帯域から選択され、及び
少なくとも前記測定又は許可は、規定の免許不要帯域の１０メガヘルツブロックに分割される、請求項１に記載の方法。
【請求項３】
前記測定の実行及び前記要求の送信に単一無線が使用される、請求項１に記載の方法。
【請求項４】
ある期間にわたり受信した測定の少なくとも２つの値を比較し、及び
前記比較された少なくとも２つの値を使用して、前記送信のための少なくとも１つの望ましい周波数を決定する、
ことを更に含む、請求項１に記載の方法。
【請求項５】
前記送信のための少なくとも１つの望ましい周波数は、送信のスループットを最大にする、請求項１に記載の方法。
【請求項６】
前記測定は、受信した信号強度指示子により報告される、請求項１に記載の方法。
【請求項７】
前記ベースステーションは、少なくとも、受信された信号強度指示のピーク、受信された信号強度指示の平均の中央値、又は受信された信号強度指示のピークの最小値を使用して、前記送信のための望ましい周波数を決定する、請求項６に記載の方法。
【請求項８】
前記ベースステーションは、前記少なくとも１つの望ましい周波数を決定するための候補周波数選択機能を含む、請求項１に記載の方法。
【請求項９】
前記ベースステーションは、市民バンドサービス装置である、請求項１に記載の方法。
【請求項１０】
前記ネットワークエンティティは、スペクトルアクセスシステムに含まれる、請求項１に記載の方法。
【請求項１１】
前記測定は、ネットワーク運営者により定められた割合で周期的に行われる、請求項１に記載の方法。
【請求項１２】
コンピュータプログラムコードを含む少なくとも１つのメモリ、及び
少なくとも１つのプロセッサ、
を備えた装置において、少なくとも１つのメモリ及びコンピュータプログラムコードは、少なくとも１つのプロセッサとで、装置が、少なくとも、
ユーザ装置を取り巻く環境のスペクトルの測定をベースステーションにより行い、
前記測定及び前記ベースステーションの高周波能力に基づき、ユーザ装置による送信のための少なくとも１つの望ましい周波数を決定し、及び
前記ユーザ装置による送信のための少なくとも１つの望ましい周波数の許可を求める要求を前記ベースステーションからネットワークエンティティへ送信する、
ようにさせるよう構成された装置。
【請求項１３】
前記送信のための少なくとも１つの望ましい周波数は、３５００メガヘルツと３７５０メガヘルツとの間の規定の免許不要帯域から選択され、及び
少なくとも前記測定又は許可は、規定の免許不要帯域の１０メガヘルツブロックに分割される、請求項１２に記載の装置。
【請求項１４】
前記少なくとも１つのメモリ及びコンピュータプログラムコードは、少なくとも１つのプロセッサとで、装置が、少なくとも、
ある期間にわたり受信した測定の少なくとも２つの値を比較し、及び
前記比較された少なくとも２つの値を使用して、前記送信のための少なくとも１つの望ましい周波数を決定する、
ようにさせるよう構成された、請求項１２に記載の装置。
【請求項１５】
前記測定は、受信した信号強度指示子により報告される、請求項１２に記載の装置。
【請求項１６】
前記ベースステーションは、少なくとも、受信された信号強度指示のピーク、受信された信号強度指示の平均の中央値、又は受信された信号強度指示のピークの最小値を使用して、前記送信のための望ましい周波数を決定する、請求項１５に記載の装置。
【請求項１７】
前記ベースステーションは、前記少なくとも１つの望ましい周波数を決定するための候補周波数選択機能を含む、請求項１２に記載の装置。
【請求項１８】
前記ベースステーションは、市民バンドサービス装置である、請求項１２に記載の装置。
【請求項１９】
前記ネットワークエンティティは、スペクトルアクセスシステムに含まれる、請求項１２に記載の装置。
【請求項２０】
前記測定は、ネットワーク運営者により定められた割合で周期的に行われる、請求項１２に記載の装置。
【請求項２１】
ユーザ装置による送信のための少なくとも１つの望ましい周波数の許可の要求をユーザ装置又はベースステーションからネットワークエンティティで受信し、
前記少なくとも１つの望ましい周波数の要求がユーザ装置に対して許可されるかどうか決定し、及び
前記送信のための少なくとも１つの望ましい周波数の許可をベースステーション又はユーザ装置へ送信する、
ことを含む方法。
【請求項２２】
前記ネットワークエンティティは、３５００メガヘルツと３７５０メガヘルツとの間の規定の免許不要帯域から前記送信のための少なくとも１つの望ましい周波数を選択する、請求項２１に記載の方法。
【請求項２３】
前記ネットワークエンティティは、スペクトルアクセスシステムに含まれる、請求項２１に記載の方法。
【請求項２４】
前記送信のための少なくとも１つの望ましい周波数をユーザ装置により１つ以上のセルに指定することを更に含む、請求項２１に記載の方法。
【請求項２５】
コンピュータプログラムコードを含む少なくとも１つのメモリ、及び
少なくとも１つのプロセッサ、
を備えた装置において、少なくとも１つのメモリ及びコンピュータプログラムコードは、少なくとも１つのプロセッサとで、装置が、少なくとも、
ユーザ装置による送信のための少なくとも１つの望ましい周波数の許可の要求をユーザ装置又はベースステーションからネットワークエンティティで受信し、
前記少なくとも１つの望ましい周波数の要求がユーザ装置に対して許可されるかどうか決定し、及び
前記送信のための少なくとも１つの望ましい周波数の許可をユーザ装置又はベースステーションへ送信する、
ようにさせるよう構成された装置。
【請求項２６】
前記ネットワークエンティティは、３５００メガヘルツと３７５０メガヘルツとの間の規定の免許不要帯域から前記送信のための少なくとも１つの望ましい周波数を選択する、請求項２５に記載の装置。
【請求項２７】
前記ネットワークエンティティは、スペクトルアクセスシステムに含まれる、請求項２５に記載の装置。
【請求項２８】
少なくとも１つのメモリ及びコンピュータプログラムコードは、少なくとも１つのプロセッサとで、装置が、少なくとも、前記送信のための少なくとも１つの望ましい周波数をユーザ装置により１つ以上のセルに指定するようにさせるよう構成された、請求項２５に記載の装置。
【発明の詳細な説明】
【技術分野】
【０００１】
種々の通信システムは、改善された高周波送信から利益が得られる。例えば、通信システムは、ユーザ装置を取り巻く環境のスペクトルの測定に基づき周波数帯域を選択することから利益が得られる。
【背景技術】
【０００２】
連邦通信委員会（ＦＣＣ）は、３５５０ないし３７００メガヘルツ（ＭＨｚ）の範囲の帯域において１５０ＭＨｚのスペクトルの共有商業的利用を許すルールを採用した。ある実施形態では、そのような帯域は、３．５ＧＨｚ帯域として知られている。３．５ＧＨｚの免許不要(unlicensed)スペクトルは、種々様々なユーザ及び展開モデルに利用することができる。
【０００３】
３．５ＧＨｚ帯域のスペクトル共有プロセスを促進するため、周波数の指定にアクセスシステム（“ＳＡＳ”）が使用される。ＳＡＳは、市民バンド無線サービス（ＣＢＲＳ）スペクトルの使用を許可及び管理し、上位層動作を干渉から保護し、且つ全ＣＢＲＳ運営者のための周波数容量を最大にする高度に自動化された周波数コーディネータである。
【０００４】
３．５ＧＨｚ免許不要スペクトルの無線送信を開始する前に、市民バンドサービス装置（ＣＢＳＤ）は、その環境の測定値を供給できるかどうか指示する。ＣＢＳＤは、３．５ＧＨｚ帯域で使用するためにＣＢＲＳ運営者により使用される標準能力をもつ特定の送信装置である。２つのタイプのＣＢＤＳがある。即ち、低電力ＣＢＳＤであるカテゴリＡ、及び高電力ＣＢＳＤであるカテゴリＢである。高周波送信を開始する前に、ＣＢＳＤは、そのスペクトルにおいてブロードキャストできるようにスペクトル許可の要求をＳＡＳへ送信する。
【発明の概要】
【０００５】
ある実施形態における方法は、ユーザ装置を取り巻く環境のスペクトルの測定をベースステーションにより行うことを含む。又、この方法は、その測定及びベースステーションの高周波能力に基づき、ユーザ装置による送信のための少なくとも１つの望ましい周波数を決定することも含む。加えて、この方法は、ユーザ装置による送信のための少なくとも１つの望ましい周波数の許可を求める要求をベースステーションからネットワークエンティティへ送信することを含む。
【０００６】
ある実施形態による装置は、コンピュータプログラムコードを含む少なくとも１つのメモリ、及び少なくとも１つのプロセッサを備えている。少なくとも１つのメモリ及びコンピュータプログラムコードは、少なくとも１つのプロセッサとで、装置が、少なくとも、ユーザ装置を取り巻く環境のスペクトルの測定をベースステーションにより行うようにさせるよう構成される。又、少なくとも１つのメモリ及びコンピュータプログラムコードは、少なくとも１つのプロセッサとで、少なくとも、その測定及びベースステーションの高周波能力に基づき、ユーザ装置による送信のための少なくとも１つの望ましい周波数を決定するように構成される。加えて、少なくとも１つのメモリ及びコンピュータプログラムコードは、少なくとも１つのプロセッサとで、少なくとも、ユーザ装置による送信のための少なくとも１つの望ましい周波数の許可を求める要求をベースステーションからネットワークエンティティへ送信するように構成される。
【０００７】
ある実施形態による装置は、ユーザ装置を取り巻く環境のスペクトルの測定をベースステーションにより行う手段を備えている。又、この装置は、その測定及びベースステーションの高周波能力に基づいて、ユーザ装置による送信のための少なくとも１つの望ましい周波数を決定する手段も備えている。加えて、この装置は、ユーザ装置による送信のための少なくとも１つの望ましい周波数の許可を求める要求をベースステーションからネットワークエンティティへ送信する手段も備えている。
【０００８】
ある実施形態によれば、非一時的コンピュータ読み取り可能な媒体は、ハードウェアで実行されたときにプロセスを遂行するインストラクションをエンコードする。そのプロセスは、ユーザ装置を取り巻く環境のスペクトルの測定をベースステーションにより行うことを含む。又、このプロセスは、その測定及びベースステーションの高周波能力に基づきユーザ装置による送信のための少なくとも１つの望ましい周波数を決定することも含む。加えて、このプロセスは、ユーザ装置による送信のための少なくとも１つの望ましい周波数の許可を求める要求をベースステーションからネットワークエンティティへ送信することも含む。
【０００９】
ある実施形態によれば、コンピュータプログラム製品は、ユーザ装置を取り巻く環境のスペクトルの測定をベースステーションにより行うためのインストラクションをエンコードする。又、この方法は、その測定及びベースステーションの高周波能力に基づきユーザ装置による送信のための少なくとも１つの望ましい周波数を決定することも含む。加えて、この方法は、ユーザ装置による送信のための少なくとも１つの望ましい周波数の許可を求める要求をベースステーションからネットワークエンティティへ送信することも含む。
【００１０】
ある実施形態における方法は、ユーザ装置による送信のための少なくとも１つの望ましい周波数の許可の要求をユーザ装置又はベースステーションからネットワークエンティティで受信することを含む。又、この方法は、少なくとも１つの望ましい周波数の要求がユーザ装置に対して許可されるかどうか決定することも含む。更に、この方法は、送信のための少なくとも１つの望ましい周波数の許可をベースステーション又はユーザ装置へ送信することを含む。
【００１１】
ある実施形態による装置は、コンピュータプログラムコードを含む少なくとも１つのメモリ、及び少なくとも１つのプロセッサを備えている。少なくとも１つのメモリ及びコンピュータプログラムコードは、少なくとも１つのプロセッサとで、装置が、少なくとも、ユーザ装置による送信のための少なくとも１つの望ましい周波数の許可の要求をユーザ装置又はベースステーションからネットワークエンティティで受信するようにさせるよう構成される。又、少なくとも１つのメモリ及びコンピュータプログラムコードは、少なくとも１つのプロセッサとで、少なくとも、少なくとも１つの望ましい周波数の要求がユーザ装置に対して許可されるかどうか決定するように構成される。更に、少なくとも１つのメモリ及びコンピュータプログラムコードは、少なくとも１つのプロセッサとで、少なくとも、送信のための少なくとも１つの望ましい周波数の許可をベースステーション又はユーザ装置へ送信するように構成される。
【００１２】
ある実施形態における装置は、ユーザ装置による送信のための少なくとも１つの望ましい周波数の許可の要求をベースステーション又はユーザ装置からネットワークエンティティで受信する手段を備えている。又、この装置は、少なくとも１つの望ましい周波数の要求がユーザ装置に対して許可されるかどうか決定する手段も備えている。更に、この装置は、送信のための少なくとも１つの望ましい周波数の許可をベースステーション又はユーザ装置へ送信する手段も備えている。
【００１３】
ある実施形態によれば、非一時的コンピュータ読み取り可能な媒体は、ハードウェアで実行されたときにプロセスを遂行するインストラクションをエンコードする。そのプロセスは、ユーザ装置による送信のための少なくとも１つの望ましい周波数の許可の要求をユーザ装置又はベースステーションからネットワークエンティティで受信することを含む。又、このプロセスは、少なくとも１つの望ましい周波数の要求がユーザ装置に対して許可されるかどうか決定することも含む。更に、このプロセスは、送信のための少なくとも１つの望ましい周波数の許可をユーザ装置又はベースステーションへ送信することを含む。
【００１４】
ある実施形態によれば、コンピュータプログラム製品は、方法によるプロセスを遂行するためのインストラクションをエンコードし、前記方法は、ユーザ装置による送信のための少なくとも１つの望ましい周波数の許可の要求をユーザ装置又はベースステーションからネットワークエンティティで受信することを含む。又、この方法は、少なくとも１つの望ましい周波数の要求がユーザ装置に対して許可されるかどうか決定することも含む。更に、この方法は、送信のための少なくとも１つの望ましい周波数の許可をベースステーション又はユーザ装置へ送信することを含む。
【００１５】
ある実施形態における方法は、ユーザ装置を取り巻く環境のスペクトルの測定をユーザ装置により行うことを含む。又、この方法は、その測定及びユーザ装置の高周波能力に基づき、ユーザ装置による送信のための少なくとも１つの望ましい周波数を決定することも含む。加えて、この方法は、ユーザ装置による送信のための少なくとも１つの望ましい周波数の許可を求める要求をユーザ装置からベースステーションへ送信することを含む。この要求は、ベースステーションを通してネットワークエンティティへ転送される。
【００１６】
ある実施形態による装置は、コンピュータプログラムコードを含む少なくとも１つのメモリ、及び少なくとも１つのプロセッサを備えている。少なくとも１つのメモリ及びコンピュータプログラムコードは、少なくとも１つのプロセッサとで、装置が、少なくとも、ユーザ装置を取り巻く環境のスペクトルの測定をユーザ装置により行うようにさせるよう構成される。又、少なくとも１つのメモリ及びコンピュータプログラムコードは、少なくとも１つのプロセッサとで、少なくとも、その測定及びユーザ装置の高周波能力に基づき、ユーザ装置による送信のための少なくとも１つの望ましい周波数を決定するように構成される。加えて、少なくとも１つのメモリ及びコンピュータプログラムコードは、少なくとも１つのプロセッサとで、少なくとも、ユーザ装置による送信のための少なくとも１つの望ましい周波数の許可を求める要求をユーザ装置からベースステーションへ送信するように構成される。この要求は、ベースステーションを通してネットワークエンティティへ転送される。
【００１７】
ある実施形態における装置は、ユーザ装置を取り巻く環境のスペクトルの測定をユーザ装置により行う手段を備えている。又、この装置は、その測定及びユーザ装置の高周波能力に基づき、ユーザ装置による送信のための少なくとも１つの望ましい周波数を決定する手段を備えている。加えて、この装置は、ユーザ装置による送信のための少なくとも１つの望ましい周波数の許可を求める要求をユーザ装置からベースステーションへ送信する手段を備えている。この要求は、ベースステーションを通してネットワークエンティティへ転送される。
【００１８】
ある実施形態によれば、非一時的コンピュータ読み取り可能な媒体は、ハードウェアで実行されたときにプロセスを遂行するインストラクションをエンコードする。そのプロセスは、ユーザ装置を取り巻く環境のスペクトルの測定をユーザ装置により行うことを含む。又、このプロセスは、その測定及びユーザ装置の高周波能力に基づき、ユーザ装置による送信のための少なくとも１つの望ましい周波数を決定することも含む。加えて、このプロセスは、ユーザ装置による送信のための少なくとも１つの望ましい周波数の許可を求める要求をユーザ装置からベースステーションへ送信することを含む。この要求は、ベースステーションを通してネットワークエンティティへ転送される。
【００１９】
ある実施形態によれば、コンピュータプログラム製品は、方法によるプロセスを遂行するためのインストラクションをエンコードし、前記方法は、ユーザ装置を取り巻く環境のスペクトルの測定をユーザ装置により行うことを含む。又、この方法は、その測定及びユーザ装置の高周波能力に基づき、ユーザ装置による送信のための少なくとも１つの望ましい周波数を決定することも含む。加えて、この方法は、ユーザ装置による送信のための少なくとも１つの望ましい周波数の許可を求める要求をユーザ装置からベースステーションへ送信することを含む。この要求は、ベースステーションを通してネットワークエンティティへ転送される。
【００２０】
本発明を適切に理解するために、添付図面を参照する。
【図面の簡単な説明】
【００２１】
【図１】ある実施形態によるフローチャートである。
【図２】ある実施形態によるフローチャートである。
【図３】ある実施形態によるフローチャートである。
【図４】ある実施形態によるフローチャートである。
【図５】ある実施形態によるフローチャートである。
【図６】ある実施形態によるフローチャートである。
【図７】ある実施形態によるシステムを示す。
【発明を実施するための形態】
【００２２】
利用可能な３．５ＧＨｚ免許不要スペクトルの帯域巾は、免許不要スペクトルを使用するユーザ装置又はデバイスの帯域巾より広い。それ故、特定のユーザ装置又はデバイスにより使用するためにスペクトル内の最良の周波数の選択がなされる。ある実施形態は、免許不要の共有アクセスシステムにおいてこの望ましい周波数の選択を促進する上で助けとなる。ユーザ装置又はデバイスによる望ましい周波数の使用は、周波数の最適な選択を許し、ユーザ装置による送信の最大スループットを生じる。望ましい周波数の最適な選択がなされると、ユーザ装置は、ＳＡＳのような免許不要の共有アクセスシステムのネットワークエンティティがユーザ装置又はデバイスに対して望ましい周波数を許可又は指定することを要求する。
【００２３】
送信のための望ましい周波数を選択するため、ユーザ装置デバイスのようなユーザ装置又はＣＢＳＤのようなベースステーションは、ユーザ装置を取り巻く環境のスペクトルの測定を行う能力を有する。ある実施形態では、ベースステーションが最初の測定を行い、一方、ユーザ装置がその後の測定を行う。例えば、測定は、受信信号強度指示子（ＲＳＳＩ）を使用して報告される。測定データを使用して、ユーザ装置又はベースステーションは、ある実施形態では、ユーザ装置又はデバイスの構成帯域巾に一致するか或いはユーザ装置又はデバイスの送信スループットを最適化するスペクトルの最良部分を自動的に決定する。
【００２４】
ある実施形態では、ユーザ装置又はデバイス及びベースステーションは、時分割デュープレックス（ＴＤＤ）長期進化（ＬＴＥ）サービスを提供するのに使用される。ＬＴＥの実施形態では、ユーザ装置の送信周波数は、３．５ＧＨｚ免許不要帯域の３５５０ＭＨｚと３５７０ＭＨｚとの間に規定されるか又は最初に制限される。他の実施形態では、ユーザ装置は、３．５ＧＨｚ免許不要帯域の異なる範囲に規定されるか又は最初に制限されてもよい。望ましい周波数がベースステーション又はユーザ装置により決定されると、ＳＡＳのネットワークエンティティにその要求が送信される。その要求は、望ましい周波数に関する情報及び／又はユーザ装置により使用される望ましい送信ピーク電力に関する情報を含む。ここに述べるいずれの実施形態も、いずれの他の周波数及び／又はＬＴＥ以外のいずれの他の技術にも使用することができる。
【００２５】
ＳＡＳは、ある実施形態では、ユーザ装置の望ましい周波数に更なる制約を課する。その制約は、例えば、ユーザ装置の位置に関するものである。又、その制約は、通常の動作中にＳＡＳにより周波数サスペンションを受けるデータチャンネルのサブセットに関するものでもある。それ故、ＳＡＳは、そのようなサブセットを使用することからユーザ装置を制限し、頻繁にサスペンションを受けるデータチャンネルの使用を回避する。
【００２６】
ある実施形態では、望ましい周波数の決定を助けるために、候補周波数選択機能（ＣＦＳＦ）がユーザ装置又はベースステーションにより使用される。このＣＦＳＦは、少なくとも１つのプロセッサ、及びコンピュータプログラムコードを含む少なくとも１つのメモリを使用して、ユーザ装置又はベースステーションにおいて実施される。ＣＦＳＦは、ローの測定データ、例えば、ＲＳＳＩを入力し、そしてユーザ装置の高周波能力に基づいて送信のための１つ以上の望ましい周波数を出力できる技術を利用する。例えば、ＣＦＳＦは、ある実施形態では、１５の個々の測定を比較し、各測定は、１０ＭＨｚである。他の実施形態では、他の帯域が使用されてもよい。測定は、ユーザ装置又はデバイスの動作に対して最良の１つ以上の周波数を計算するために、３．５ＧＨｚ免許不要スペクトルの全１５０ＭＨｚ帯域に及ぶ。
【００２７】
この技術は、例えば、図２及び３に示す独特の一連の計算を使用し、これは、ピークＲＳＳＩ、平均ＲＳＳＩの中央値、及び／又は最小のＲＳＳＩを考慮して、最高レベル性能を生じる周波数を予想するものである。又、この技術は、キャリアアグリゲーションのような隣接帯域巾を有する無線送信スキームを受け容れることも考慮する。この技術は、ユーザ装置の高周波能力を満足する１５０ＭＨｚ免許不要スペクトル帯域内の１つ以上の周波数を計算し、そして最高レベルの性能を達成する。
【００２８】
図１は、ある実施形態によるフローチャートである。特に、図１は、ＣＢＳＤのようなベースステーションの実施形態を示す。ステップ１１０において、ベースステーション、例えば、ＣＢＳＤは、ユーザ装置を取り巻く環境のスペクトルの測定を実行する。ベースステーションは、ユーザ装置がネットワークに登録又は加入するときに最初の測定を実行する。次いで、ＵＥが、ベースステーションに代って、その後の時点で、測定を補足又は実行する。換言すれば、ユーザ装置を取り巻く高周波環境の測定が行われる。全３．５ＧＨｚ免許不要スペクトルは、１５０ＭＨｚ巾であり、３５５０ＭＨｚから３７００ＭＨｚまで広がる。ユーザ装置が３．５ＧＨｚ免許不要スペクトルを使用する実施形態では、測定が、１５の個々の、連続する１０ＭＨｚのブロックに分割される。他の実施形態では、測定が、連続してもしなくてもよいそして１０ＭＨｚとは異なる等しい又は異なる帯域巾長さをもつ１つ以上の個々のブロックに分割される。
【００２９】
ＳＡＳにおいてユーザ装置とネットワークエンティティとの間に、例えば、標準的なＬＴＥ送信のような送信が生じる前に、ステップ１１０に示すように、ベースステーションにより予備的な測定が実行される。その測定を利用して、ステップ１２０に示すように、ユーザ装置による送信のための望ましい周波数が決定される。更に、ユーザ装置による送信のための望ましい周波数を決定するときには、ベースステーションの高周波能力も考慮される。望ましい周波数は、例えば、一次ブロードキャスト周波数である。ステップ１３０において、ベースステーションは、ユーザ装置による送信のための少なくとも１つの望ましい周波数の許可を求める要求をネットワークエンティティへ送信する。
【００３０】
ある実施形態では、ベースステーション又はユーザ装置は、ある期間にわたり受け取った又は行った測定の少なくとも２つの値を比較する。ユーザ装置又はベースステーションは、次いで、ステップ１２０において、比較された少なくとも２つの値を使用して、送信のための少なくとも１つの望ましい周波数を決定する。換言すれば、時間にわたる異なる測定を使用して、ユーザ装置において望ましい送信周波数を決定する。図２に示す実施形態では、ベースステーションではなくユーザ装置が、ある期間にわたり測定を受け取るか又は実行し、そしてその測定を使用して、少なくとも１つの望ましい周波数を決定する。
【００３１】
ユーザ装置が望ましい周波数を使用して送信を開始すると、測定は、依然として、ユーザ装置、ベースステーション及び／又は運営者により規定された割合で、ユーザ装置又はベースステーションのいずれかにより周期的に行われる。換言すれば、ある実施形態では、その割合は、少なくとも、ネットワーク性能の現在レベルに基づいてユーザ装置により自律的に選択される。これらの測定は、ユーザ装置により要求される望ましい周波数である現在使用周波数が最良の選択肢のままであるか、又はもっと望ましい周波数が利用できるか検証又は再評価するのに使用される。例えば、もっと望ましい周波数は、干渉の少ない周波数帯域である。ベースステーションにより行われる初期又は予備的測定は、ユーザがセルに接続されないので時間に敏感なものではなく、これは、ユーザがドロップするおそれがないことを意味する。他方、ユーザ装置によって送信中に行われる測定は、時間に敏感であり、ユーザがドロップしないよう保証するために食い違わされる。
【００３２】
ある実施形態において、測定は、無線ごとの測定及び／又はセルごとの測定の間で分割される。以下に示す測定は、単に一例として与えられたものである。ベースステーション及び／又はユーザ装置によって他の測定が行われてもよい。例えば、無線ごとの測定は、最大帯域巾（ｍａｘＢＷ）、隣接セル（ｉｓＣｏｎｔｉｇｕｏｕｓ）、セルの数（ｎｕｍＣｅｌｌｓ）、及び／又はセルのリストである。例えば、セルごとの測定は、現在帯域巾（ｃｕｒｒｅｎｔＢＷ）、望ましい帯域巾（ｄｅｓｉｒｅｄＢＷ）、現在進化絶対高周波チャンネル番号（ｃｕｒｒｅｎｔＥＡＲＦＣＮ）、セルごとのビットマップ、及び所与のセルがアクティブ（ｉｓＡｃｔｉｖｅ）であるかどうか、である。
【００３３】
ｍａｘＢＷは、現在ｒａｄｉｏＣａｒｄの最大帯域巾である。ｉｓＣｏｎｔｉｇｕｏｕｓは、現在ｒａｄｉｏＣａｒｄが隣接セルを要求することを指示し、一方、ｉｓＡｃｔｉｖｅは、セルが現在アクティブで且つオンエアであるかどうか指示する。ｃｕｒｒｅｎｔＥＡＲＦＣＮは、１つ以上のセルの現在構成ＥＡＲＦＮを指示し、一方、ｃｕｒｒｅｎｔＢＳは、セルの帯域巾の現在構成を指示する。ｄｅｓｉｒｅｄＢＷは、現在セルに対して割り当てられるべき望ましい帯域巾であり、そしてセルごとのビットマップは、現在セルに対する候補であるＣＢＲＳチャンネルのサブセットである。他の実施形態では、他の測定が行われ、及び／又はユーザ装置又はベースステーションにより使用される。
【００３４】
前記測定の１つ以上がユーザ装置又はベースステーションにおいてＣＦＳＦに入力されて、ユーザ装置又はデバイスの望ましい周波数が予想される。望ましい周波数が決定されると、ベースステーションは、ステップ１３０に示すように、免許不要アクセスシステムに作用する要求をネットワークエンティティに送信する。ある実施形態では、図５及び６に示すように、ネットワークエンティティは、その要求に応答して、少なくとも１つの望ましい周波数の許可をユーザ装置に送信する。ユーザ装置は、許可を受け取り、そして望ましい周波数帯域を使用してデータを送信する。ある実施形態では、共有スペクトル環境において動作するベースステーションは、最適な周波数が決定されてスペクトルアクセスシステムにより許可されるまで、エンドユーザ装置と通信しないか、又は通信することが許されない。換言すれば、将来の無線チャンネル状態のある予想は、ユーザ装置の測定をレバレッジしない。
【００３５】
図２は、ある実施形態によるフローチャートである。図２は、ユーザ装置デバイス（ＵＥＤ）のようなユーザ装置の実施形態を示す。図１は、初期測定を行い、そしてその測定及びベースステーションの周波数能力に基づいてユーザ装置により望ましい周波数を決定することを示したが、図２は、ベースステーションにより行われた測定を使用することにより初期の望ましい周波数が既に決定された後にユーザ装置により行われるその後の測定を示す。
【００３６】
ステップ２１０において、ユーザ装置は、ユーザ装置を取り巻く環境のスペクトルの測定を実行する。ステップ２２０において、ユーザ装置は、その測定及びユーザ装置の高周波能力に基づいて決定を行う。次いで、ＵＥは、ステップ２３０に示すように、ユーザ装置による送信のための少なくとも１つの望ましい周波数の許可を求める要求をベースステーションへ送信する。その要求は、ベースステーションを通してＳＡＳのネットワークエンティティへ転送される。上述したように、ＵＥは、望ましい周波数がＵＥの現在周囲環境の正確な測定に基づくものとなるよう保証するために周期的に測定を行う。
【００３７】
図３は、ある実施形態によるフローチャートである。特に、図３は、ベースステーション又はユーザ装置の高周波能力が１０ＭＨｚから１５０ＭＨｚであることを示している。ユーザ装置の能力に基づき、ユーザ装置は、多数の連続的な１０ＭＨｚブロック（ｎ）を必要とする。図３は、ユーザ装置が送信のために使用する連続的な１０ＭＨｚブロックの数を決定するユーザ装置又はベースステーションの実施形態を示す。例えば、ステップ３１０において、ユーザ装置が１０ＭＨｚの構成帯域巾を有する場合には、１つの連続的な１０ＭＨｚブロックしか使用せず、ｎが１に等しいことを意味する。他方、ステップ３２０、３３０、３４０及び３５０において、ユーザ装置は、各々、２０ＭＨｚ、３０ＭＨｚ、４０ＭＨｚ、及び４０ＭＨｚ以上の帯域巾に対して構成される。それ故、ステップ３２０、３３０、３４０及び３５０は、ｎが２、３、４及び４以上に等しい。
【００３８】
図４は、ある実施形態によるフローチャートである。特に、図４は、構成帯域巾を有するか又は１０ＭＨｚの高周波能力を有するユーザ装置又はベースステーションを示す。そのような実施形態では、ユーザ装置又はベースステーションは、３．５ＧＨｚの帯域内でユーザ装置送信のための最良の利用可能な１０ＭＨｚ周波数を選択する。ある実施形態では、図４に示すプロセスは、ＣＦＳＦにより実行され、一方、他の実施形態では、ユーザ装置又はベースステーション内に含まれる他の機能が望ましい周波数を決定してもよい。
【００３９】
ステップ４１０において、ユーザ装置又はベースステーションは、例えば、３．５ＧＨｚ帯域のような、免許不要共有アクセスシステムの最適な又は望ましい送信周波数を選択することを求める。ＳＡＳを伴う又はＳＡＳの外部のネットワークエンティティは、特定のユーザ装置による使用に対して１５０ＭＨｚの全部が利用できるのではないことを報告する。利用できない周波数は、ＣＦＳＦの候補周波数から除去される。ステップ４１１において、ピークＲＳＳＩ測定の中央値及び平均ＲＳＳＩ測定の中央値が、依然考慮中の全ての利用可能な周波数に対して予め構成された数のサンプルにわたって計算される。予め構成された数のサンプルは、ユーザ装置又はベースステーションが選択を求める周波数帯域に依存する。
【００４０】
ある実施形態では、ステップ４１２に示すように、ユーザ装置又はベースステーションは、全ての構成周波数の中央ピークＲＳＳＩが、所定のスレッシュホールド又は予め構成されたスレッシュホールド内にあるかどうか決定する。スレッシュホールドは、例えば、ＬＴＥ技術に使用される３デシベル・ミリワット（ｄＢｍ）オフセットである。もしそうであれば、ステップ４１３に示すように、全ての構成周波数の中央平均ＲＳＳＩも３ｄＢｍスレッシュホールドのような構成可能なスレッシュホールド内にあるかどうか決定される。全ての構成可能な周波数に対するピークＲＳＳＩ及び平均ＲＳＳＩの両中央値が構成可能なスレッシュホールド内にある場合には、ユーザ装置又はベースステーションが、ステップ４１４に示すように、最大ピークＲＳＳＩの最小値（Ｍｉｎ（Ｍａｘ（Ｐｅａｋ（ＲＳＳＩ））））を選択する。もしそうでなければ、ユーザ装置又はベースステーションは、ステップ４１８へ進む。
【００４１】
全ての構成周波数の中央ピークＲＳＳＩが構成スレッシュホールド内にないときには、ユーザ装置又はベースステーションがステップ４１５へ進む。ステップ４１５において、ピークＲＳＳＩ値の最小中央値を伴う構成周波数と、第２の最小中央ピークＲＳＳＩ値を伴う構成周波数との間の差が比較される。最小中央ピークＲＳＳＩ値と第２の最小中央ピークＲＳＳＩ値との間の差が構成スレッシュホールドより大きい場合には、ステップ４１６に示すように、最小中央ピークＲＳＳＩを伴う周波数が選択される。しかしながら、最小中央ピークＲＳＳＩ値と第２の最小中央ピークＲＳＳＩ値との間の差が構成スレッシュホールド以下である場合には、ピークＲＳＳＩ差の中央値が構成スレッシュホールドより小さい構成周波数のプール又はリストがアグリゲートされる。
【００４２】
ステップ４１８では、ステップ４１７でアグリゲートされたプール又はリストが査定される。特に、平均ＲＳＳＩ値の最小中央値及び第２の最小中央値の構成周波数間の差が所定のスレッシュホールド以下であるかどうか決定される。もしそうでなければ、ユーザ装置又はベースステーションは、ステップ４１９に示すように、最小中央平均ＲＳＳＩの周波数を選択する。その差が構成スレッシュホールド以下である場合には、ステップ４２０に示すように、平均ＲＳＳＩ差の中央値が構成可能なスレッシュホールドより小さい構成周波数の第２のプール又はリストがアグリゲートされる。
【００４３】
次いで、ステップ４２０で生成されたプール又はリストにおける各周波数の平均ＲＳＳＩのバリアンスが決定される。ステップ４２１において、ＲＳＳＩの最小バリアンスを伴う周波数がユーザ装置又はベースステーションにより選択される。ステップ４１４、４１６、４１９及び４２１においてユーザ装置又はベースステーションのＣＦＳＦにより選択される周波数ブロックは、最適な又は望ましい周波数を有すると言える。
【００４４】
ある実施形態は、チャンネルのどの組み合せが事前送信測定に基づき最適な将来の無線チャンネル性能を与えるか予想する上で助けとなる。図４に示すプロセスは、ＳＡＳにより与えられるベースステーションの現在位置において利用できるチャンネルを考慮し、どのチャンネルを使用するか決定する。ある実施形態では、利用可能なチャンネルは、サスペンションの確率に基づいて重み付けされる。例えば、予想される将来の高周波チャンネル性能は、送信を捕捉するか又は少なくとも１つの新たな周波数を要求するためにＳＡＳによって告げられる見込みに基づく。前記確率は、ベースステーション又はユーザ装置の位置、現在チャンネルタイプの周波数レンジ、例えば、プライオリティアクセス免許又は一般的アクセス免許、ユーザ装置及び／又はベースステーションがプライオリティ保護エリアのメンバーであるかどうか、及び／又はチャンネルの歴史的サスペンション又はリロケーション振舞い、に基づいて決定される。
【００４５】
図５は、ある実施形態によるフローチャートを示す。図４は、測定及びユーザ装置の高周波能力に基づいて、ユーザ装置による送信のための少なくとも１つの望ましい周波数を決定するところを示す。次いで、望ましい周波数を含む要求がＡＳＡのネットワークエンティティへ送られる。図５は、ユーザ装置又はデバイスにより要求される望ましい周波数をＳＡＳがどのように指定し又は許可するかを示す。ステップ５１１において、ＳＡＳのネットワークエンティティは、１０ＭＨｚの周波数許可のための要求を受け取る。ステップ５１２において、ネットワークエンティティは、ユーザ装置が中に配置されている構成セルへ望ましい周波数を指定する。例えば、ユーザ装置又はデバイス及びベースステーションは、構成された第１又は第２セルに配置される。
【００４６】
ステップ５１３において、ＳＡＳのネットワークエンティティは、２０ＭＨｚの周波数許可の要求を受け取る。次いで、ネットワークエンティティは、ステップ５１４に示すように、２つのセルを構成して各々に１つの１０ＭＨｚ帯域を許可すべきか、又は２０ＭＨｚ帯域を伴う１つのセルを構成すべきか判断する。ステップ５１５において、ネットワークエンティティは、選択された周波数対１０ＭＨｚの低い周波数をもつ第１セルを指定する一方、選択された周波数対１０ＭＨｚの高い周波数をもつ第２セルを指定する。他方、ステップ５１６において、ネットワークエンティティは、選択された周波数対２０ＭＨｚ間の境界に等しいＥＡＲＦＣＮを有する構成セルを指定する。
【００４７】
ステップ５１７において、ＳＡＳのネットワークエンティティは、３０ＭＨｚの周波数許可の要求を受け取る。次いで、ネットワークエンティティは、ステップ５１８に示すように、各チャンネルの望ましい周波数及び帯域巾に従って、１０ＭＨｚをセル１に指定しそして２０ＭＨｚをセル２に指定する。ステップ５１９において、ＳＡＳのネットワークエンティティは、４０ＭＨｚの周波数許可の要求を受け取る。ステップ５２０において、ネットワークエンティティは、選択された周波数クワッド２０ＭＨｚの低い周波数を有する第１セルを指定する一方、選択された周波数クワッド２０ＭＨｚの高い周波数を第２セルに指定する。ステップ５２１において、ＳＡＳのネットワークエンティティは、図６に示すように、４０ＭＨｚ以上の周波数許可の要求を受け取る。ネットワークエンティティは、奇数帯域巾についてセルに付加的な１０ＭＨｚを指定し、そして偶数帯域巾について全てのセルに２０ＭＨｚを指定することにより、奇数及び／又は偶数周波数を指定し続ける。
【００４８】
図６は、ある実施形態によるフローチャートである。特に、図６は、ＳＡＳのネットワークエンティティの実施形態を示す。ステップ６１０において、ネットワークエンティティは、ユーザ装置による送信のための少なくとも１つの望ましい周波数の許可の要求を、ベースステーション又はユーザ装置から、ベースステーションを通して、受け取る。次いで、ネットワークエンティティは、ステップ６２０及び図５に示すように、少なくとも１つの望ましい周波数の要求がユーザ装置に対して許可されるかどうか決定する。ステップ６３０において、ネットワークエンティティは、送信のための少なくとも１つの望ましい周波数の許可をユーザ装置に送る。
【００４９】
図７は、ある実施形態によるシステムを示す。図１、２、３、４、５、及び６の各信号又はブロックは、ハードウェア、ソフトウェア、ファームウェア、１つ以上のプロセッサ及び／又は回路のような種々の手段又はそれらの組み合せにより実施されることを理解されたい。１つの実施形態において、システムは、多数の装置、例えば、ベースステーション７３０、ネットワークエンティティ７２０、ＵＥ７１０を備えている。又、システムは、２つ以上のＵＥ７１０、２つ以上のベースステーション７３０、及び２つ以上のネットワークエンティティ７２０を備えている。ネットワークエンティティ７３０は、ＳＡＳに配置されるか又はＳＡＳにサービスする。ネットワークエンティティは、サーバー、ホスト、ベースステーション、ネットワークノード、アクセスノード、或いはここに述べる他のアクセス又はネットワークノードのいずれかである。一方、ネットワークエンティティ７２０は、ＣＢＳＤ、サーバー、ホスト、ベースステーション、ネットワークノード、アクセスノード、或いはここに述べる他のアクセス又はネットワークノードのいずれかである。
【００５０】
これら装置の各々は、７１１、７２１及び７３１で各々示された少なくとも１つのプロセッサ、又は制御ユニット、又はモジュールを含む。各装置には少なくとも１つのメモリが設けられ、７１２、７２２及び７３２で各々示されている。メモリには、コンピュータプログラムインストラクション又はコンピュータコードが収容されている。１つ以上のトランシーバ７１３、７２３及び７３３が設けられ、各装置は、７１４、７２４及び７３４で各々示されたアンテナも備えている。各々１つのアンテナしか示されていないが、多数のアンテナ及び多数のアンテナ素子が各装置に設けられる。例えば、これら装置の他の構成が設けられてもよい。例えば、ネットワークエンティティ７２０、ＵＥ７１０、及び／又はベースステーション７３０は、ワイヤレス通信に加えて、ワイヤード通信についても構成され、そのようなケースでは、アンテナ７１４、７２４及び７３４は、通信ハードウェアの任意の形態を示すもので、単にアンテナに限定されない。
【００５１】
トランシーバ７１３、７２３及び７３３は、各々、独立した送信器、受信器、又は送受信器であるか、或いは送信及び受信の両方のために構成されたユニット又は装置である。又、送信器及び／又は受信器（無線部に関する限り）は、装置それ自体には配置されず、例えば、マストに配置されるリモート無線ヘッドとして実施されてもよい。動作及び機能は、ノード、ホスト又はサーバーのような異なるエンティティにおいて柔軟な仕方で遂行される。換言すれば、労力の分割はケースバイケースで変化する。１つの考えられる使用は、ネットワークノードがローカルコンテンツを配信するようにさせることである。又、１つ以上の機能が、サーバーで実行できるソフトウェアのバーチャルアプリケーションとして実施されてもよい。ある実施形態では、測定を受信するか又は測定を送信するために１つの受信器又は無線部がユーザ装置７１０又はベースステーション７３０により使用される。
【００５２】
ユーザ装置又はＵＥ７１０は、ユーザ装置デバイス、モバイルホン又はスマートホン又はマルチメディア装置のような移動ステーション（ＭＳ）、ワイヤレス通信能力が設けられたタブレットのようなコンピュータ、ワイヤレス通信能力が設けられたパーソナルデータ又はデジタルアシスタント（ＰＤＡ）、ポータブルメディアプレーヤ、デジタルカメラ、ポケットビデオカメラ、ワイヤレス通信能力が設けられたナビゲーションユニット、或いはその組み合せである。他の実施形態では、ユーザ装置が、人間の相互作用を要求しないマシン通信装置、例えば、センサやメーターに置き換えられてもよい。
【００５３】
ある実施形態では、ネットワークエンティティのような装置は、図１、２、３、４、５及び６に関連して上述した実施形態を具現化するための手段を含む。ある実施形態では、コンピュータプログラムコードを含む少なくとも１つのメモリは、少なくとも１つのプロセッサとで、装置が、少なくとも、ここに述べるプロセスを遂行するようにさせるよう構成される。
【００５４】
ある実施形態によれば、装置７３０は、コンピュータプログラムコードを含む少なくとも１つのメモリ７３２、及び少なくとも１つのプロセッサ７３１を備えている。少なくとも１つのメモリ７３２及びコンピュータプログラムコードは、少なくとも１つのプロセッサ７３１とで、装置７３０が、少なくとも、ユーザ装置を取り巻く環境のスペクトルの測定をベースステーションにより行うようにさせるよう構成される。又、少なくとも１つのメモリ７３２及びコンピュータプログラムコードは、少なくとも１つのプロセッサ７３１とで、装置７３０が、少なくとも、その測定及びベースステーションの高周波能力に基づき、ユーザ装置による送信のための少なくとも１つの望ましい周波数を決定するようにさせるよう構成される。更に、少なくとも１つのメモリ７３２及びコンピュータプログラムコードは、少なくとも１つのプロセッサ７３１とで、装置７３０が、少なくとも、ユーザ装置による送信のための少なくとも１つの望ましい周波数の許可を求める要求をベースステーションからネットワークエンティティへ送信するようにさせるよう構成される。
【００５５】
ある実施形態によれば、装置７１０は、コンピュータプログラムコードを含む少なくとも１つのメモリ７１２、及び少なくとも１つのプロセッサ７１１を備えている。少なくとも１つのメモリ７１２及びコンピュータプログラムコードは、少なくとも１つのプロセッサ７１１とで、装置７１０が、少なくとも、ユーザ装置を取り巻く環境のスペクトルの測定をユーザ装置により行うようにさせるよう構成される。又、少なくとも１つのメモリ７１２及びコンピュータプログラムコードは、少なくとも１つのプロセッサ７１１とで、装置７１０が、少なくとも、その測定及びユーザ装置の高周波能力に基づき、ユーザ装置による送信のための少なくとも１つの望ましい周波数を決定するようにさせるよう構成される。更に、少なくとも１つのメモリ７１２及びコンピュータプログラムコードは、少なくとも１つのプロセッサ７１１とで、装置７１０が、少なくとも、ユーザ装置による送信のための少なくとも１つの望ましい周波数の許可を求める要求をユーザ装置からベースステーションへ送信するようにさせるよう構成される。その要求は、ベースステーションを通してネットワークエンティティへ転送される。
【００５６】
ある実施形態によれば、装置７２０は、コンピュータプログラムコードを含む少なくとも１つのメモリ７２２、及び少なくとも１つのプロセッサ７２１を備えている。少なくとも１つのメモリ７２２及びコンピュータプログラムコードは、少なくとも１つのプロセッサ７２１とで、装置７２０が、少なくとも、ユーザ装置による送信のための少なくとも１つの望ましい周波数の許可の要求をユーザ装置又はベースステーションからネットワークエンティティで受信するようにさせるよう構成される。又、少なくとも１つのメモリ７２２及びコンピュータプログラムコードは、少なくとも１つのプロセッサ７２１とで、装置７２０が、少なくとも、少なくとも１つの望ましい周波数の要求がユーザ装置に対して許可されるかどうか決定するようにさせるよう構成される。更に、少なくとも１つのメモリ７２２及びコンピュータプログラムコードは、少なくとも１つのプロセッサ７２１とで、装置７２０が、少なくとも、送信のための少なくとも１つの望ましい周波数の許可をベースステーション又はユーザ装置へ送信するようにさせるよう構成される。
【００５７】
プロセッサ７１１、７２１及び７３１は、計算又はデータ処理装置、例えば、中央処理ユニット（ＣＰＵ）、デジタル信号プロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタルエンハンスト回路又は同等の装置、或いはその組み合せによって実施される。プロセッサは、単一のコントローラ、或いは複数のコントローラ又はプロセッサとして実施される。
【００５８】
ファームウェア又はソフトウェアについての実施は、少なくとも１つのチップセットのモジュール又はユニット（例えば、手順、機能、等）を含む。メモリ７１２、７２２及び７３２は、独立した適当なストレージ装置、例えば、非一時的コンピュータ読み取り可能な媒体である。ハードディスクドライブ（ＨＤＤ）、ランダムアクセスメモリ（ＲＡＭ）、フラッシュメモリ、又は他の適当なメモリが使用される。メモリは、単一の集積回路上にプロセッサとして結合されてもよいし、又はそこから分離されてもよい。更に、コンピュータプログラムインストラクションは、適当な形態のコンピュータプログラムコード、例えば、適当なプログラミング言語で書かれたコンパイル型又は解釈型コンピュータプログラムとしてメモリに記憶され、そしてプロセッサにより処理される。メモリ又はデータストレージは、典型的に、内部であるが、例えば、付加的なメモリ容量がサービスプロバイダーから得られる場合には、外部又はその組み合せであってもよい。メモリは、固定でも、取り外し可能でもよい。
【００５９】
メモリ及びコンピュータプログラムインストラクションは、特定装置のためのプロセッサとで、ネットワークエンティティ７２０、ベースステーション７３０又はＵＥ７１０のようなハードウェア装置が、上述したいずれのプロセスも遂行するようにさせるよう構成される（例えば、図１、２、３、４、５及び６を参照）。それ故、ある実施形態では、非一時的コンピュータ読み取り可能な媒体は、ハードウェアで実行されたときに、ここに述べるプロセスの１つのようなプロセスを遂行するコンピュータインストラクション或いは１つ以上のコンピュータプログラム（追加又は更新されたソフトウェアルーチン、アプレット又はマクロ）でエンコードされる。コンピュータプログラムは、オブジェクティブＣ、Ｃ、Ｃ＋＋、Ｃ＃、Ｊａｖａ（登録商標）、等の高レベルプログラミング言語、或いは機械言語又はアッセンブラーのような低レベルプログラミング言語であるプログラミング言語によってコード化される。或いは又、ある実施形態は、完全にハードウェアで遂行されてもよい。
【００６０】
更に、図７は、ネットワークエンティティ７２０、ベースステーション７３０及びＵＥ７１０を含むシステムを示すが、ある実施形態は、ここに図示して説明するように、他の構成、及び追加要素を含む構成に適用することもできる。例えば、多数のユーザ装置デバイス及び多数のベースステーション又はネットワークエンティティが存在するか、或いは同様の機能を与える他のノード、例えば、リレーノードのような、ユーザ装置及びネットワークエンティティの機能を結合するノード、が存在してもよい。ＵＥ７１０には、通信ネットワークエンティティ７２０又はベースステーション７３０以外のエンティティ又はネットワークと通信するための種々の構成が同様に設けられる。例えば、ＵＥ７１０は、装置対装置、マシン対マシン、又はビヒクル対ビヒクル通信のために構成される。
【００６１】
上述したように、ある実施形態は、３．５ＧＨｚ免許不要スペクトル状態のような免許不要共有アクセスシステムにおいて送信のための最大スループットを生じる最適な周波数選択を許す。それ故、前記実施形態は、ネットワークの機能及び／又はネットワーク内のノードの機能、或いはネットワークと通信するユーザ装置に対して顕著な改善を与える。
【００６２】
本明細書の全体を通して述べた幾つかの実施形態の特徴、構造又は特性は、１つ以上の実施形態において適当な仕方で結合されてもよい。例えば、「ある実施形態」「幾つかの実施形態」「他の実施形態」又は他の同様の表現の使用は、本明細書全体を通して、その実施形態に関連して述べる特定の特徴、構造又は特性が本発明の少なくとも１つの実施形態に含まれることを指す。従って、「ある実施形態において」「幾つかの実施形態において」「他の実施形態において」又は他の同様の表現の出現は、本明細書全体を通して、必ずしも、実施形態の同じグループを指すものではなく、ここに述べる特徴、構造又は特性は、１つ以上の実施形態において適当な仕方で結合されてもよい。
【００６３】
当業者であれば、以上に述べた本発明は、異なる順序のステップで実施されてもよく、及び／又はここに開示したものとは異なる構成のハードウェア要素で実施されてもよいことが容易に理解されよう。それ故、好ましい実施形態に基づいて本発明を説明したが、当業者であれば、本発明の精神及び範囲から逸脱せずに幾つかの修正、変更及び代替的構造が明らかとなろう。幾つかの実施形態は、ＬＴＥ環境に向けられるが、他の実施形態は、ＬＴＥアドバンスト、５Ｇ又はＮＲ技術のような他の３ＧＰＰ技術に向けられる。
【００６４】
一部の用語
ＣＢＳＤ：市民バンドサービス装置
ＣＢＲＳ：市民バンド無線サービス
ＳＡＳ：スペクトルアクセスシステム
ＲＳＳＩ：受信信号強度指示子
ＣＦＳＦ：候補周波数選択機能
【符号の説明】
【００６５】
７１０：ユーザ装置
７２０：ネットワークエンティティ
７３０：ベースステーション
７１１、７２１、７３１：プロセッサ
７１２、７２２、７３２：メモリ
７１３、７２３、７３３：トランシーバ
７１４、７２４、７３４：アンテナ
【図１】
2018078566.tif 000003
【図２】
2018078566.tif 000004
【図３】
2018078566.tif 000005
【図４】
2018078566.tif 000006
【図５】
2018078566.tif 000007
【図６】
2018078566.tif 000008
【図７】
2018078566.tif 000009
【手続補正書】
【提出日】平成30年1月9日(2018.1.9)
【手続補正１】
【補正対象書類名】図面
【補正対象項目名】図５
【補正方法】変更
【補正の内容】
【図５】
2018078566.tif 000010
【外国語明細書】
2018078566000001.pdf